(57)【要約】【課題】配線部材の先端に取り付けられた端子の着脱の際の作業性が高い端子着脱装置を提供する。【解決手段】端子着脱装置１は、導電板１０と、導電板１０の端部側から内側へ向けて先端が延びる係止部材１１とを備え、係止部材１１は、先端側から端子２を差し込み可能な差込口１４を形成し、導電板１０の内側から端部の外側へ向けて引き出される配線部材３に取り付けられた端子２を係止可能な係止部１１０ｂを有する。使用者は、端子２を差込口１４から差し込み、配線部材３を外側へ向けて引くことにより、端子２は、係止部１１０ｂにより係止される。【選択図】図７
2020017464.tif 000002
【特許請求の範囲】
【請求項１】
配線部材の先端に取り付けられた端子を、着脱可能な端子着脱装置であって、
導電板と、
前記導電板の端部側から内側へ向けて先端が延びる係止部材と
を備え、
前記係止部材は、
前記係止部材の先端側から端子を差し込み可能な差込口を前記係止部材の先端側に形成し、
前記導電板の内側から前記導電板の端部の外側へ向けて引き出される配線部材に取り付けられた前記差込口から差し込まれた端子を係止可能な係止部を有する
ことを特徴とする端子着脱装置。
【請求項２】
請求項１に記載の端子着脱装置であって、
前記係止部材の係止部は、
前記導電板の端部近傍に位置し、
前記係止部材の先端は、
前記導電板を押圧する自由端であり、
押圧する前記導電板との間に前記差込口を形成する
ことを特徴とする端子着脱装置。
【請求項３】
請求項２に記載の端子着脱装置であって、
前記係止部材の係止部は、
配線部材の引き出し方向に略直交する方向に間隙が形成されており、
形成された間隙は、配線部材の幅より長く、かつ端子の幅より短く、
前記間隙を形成する両側の部位により、端子を係止する
ことを特徴とする端子着脱装置。
【請求項４】
請求項１乃至請求項３のいずれか１項に記載の端子着脱装置であって、
閉じられた又は一部が開かれた環状孔を有する端子を係止可能であり、
係止された端子の環状孔に挿通する挿通部材を備える
ことを特徴とする端子着脱装置。
【請求項５】
請求項１乃至請求項４のいずれか１項に記載の端子着脱装置であって、
前記導電板及び係止部材を固定する固定部材を備え、
前記導電板及び係止部材は、前記固定部材から取り外し可能である
ことを特徴とする端子着脱装置。
【請求項６】
請求項１乃至請求項５のいずれか１項に記載の端子着脱装置であって、
前記導電板は、
前記端部を複数有し、
複数の前記端部に、それぞれ前記係止部材を有する
ことを特徴とする端子着脱装置。
【請求項７】
請求項１乃至請求項６のいずれか１項に記載の端子着脱装置であって、
前記係止部材は、
前記導電板の片面又は両面に前記差込口を形成する
ことを特徴とする端子着脱装置。
【請求項８】
請求項１乃至請求項７のいずれか１項に記載の端子着脱装置であって、
形成された一の前記差込口は、
複数の端子を差込可能である
ことを特徴とする端子着脱装置。
【発明の詳細な説明】
【技術分野】
【０００１】
本発明は、端子を着脱可能な端子着脱装置に関する。
【背景技術】
【０００２】
配電盤、工作機械、ＰＶ（Ｐｈｏｔｏｖｏｌｔａｉｃｓ；太陽光発電）機器等の電装設備において、電力線、信号線等の各種線材の末端に設けられた端子を接続するために端子台が用いられている。端子台に端子を接続するための基本的な技術としては、端子を端子台に螺子止めすることにより固定し、螺子を外すことにより端子を外す構造が一般的である。
【０００３】
そして、螺子止め及び螺子外しに関する操作性を改善するため、様々な端子台が提案されている。例えば、特許文献１では、端子の貫通孔にピンを嵌入させることにより、締付工具が不要な端子台を開示している。
【先行技術文献】
【特許文献】
【０００４】
【特許文献１】特開平７−２２０８５号公報
【発明の概要】
【発明が解決しようとする課題】
【０００５】
しかしながら、作業性の高い端子台は様々な形態が求められている。
【０００６】
本発明は斯かる事情に鑑みてなされたものであり、端子の取付に係る作業性が高い端子着脱装置の提供を目的とする。
【課題を解決するための手段】
【０００７】
上記課題を解決するため、本願記載の端子着脱装置は、配線部材の先端に取り付けられた端子を、着脱可能な端子着脱装置であって、導電板と、前記導電板の端部側から内側へ向けて先端が延びる係止部材とを備え、前記係止部材は、前記係止部材の先端側から端子を差し込み可能な差込口を前記係止部材の先端側に形成し、前記導電板の内側から前記導電板の端部の外側へ向けて引き出される配線部材に取り付けられた前記差込口から差し込まれた端子を係止可能な係止部を有することを特徴とする。
【０００８】
また、前記端子着脱装置において、前記導電板の端部近傍に位置し、前記係止部材の先端は、前記導電板を押圧する自由端であり、押圧する前記導電板との間に前記差込口を形成することを特徴とする。
【０００９】
また、前記端子着脱装置において、前記係止部材の係止部は、配線部材の引き出し方向に略直交する方向に間隙が形成されており、形成された間隙は、配線部材の幅より長く、かつ端子の幅より短く、前記間隙を形成する両側の部位により、端子を係止することを特徴とする。
【００１０】
また、前記端子着脱装置において、閉じられた又は一部が開かれた環状孔を有する端子を係止可能であり、係止された端子の環状孔に挿通する挿通部材を備えることを特徴とする。
【００１１】
また、前記端子着脱装置において、前記導電板及び係止部材を固定する固定部材を備え、前記導電板及び係止部材は、前記固定部材から取り外し可能であることを特徴とする。
【００１２】
また、前記端子着脱装置において、前記導電板は、前記端部を複数有し、複数の前記端部に、それぞれ前記係止部材を有することを特徴とする。
【００１３】
また、前記端子着脱装置において、前記係止部材は、前記導電板の片面又は両面に前記差込口を形成することを特徴とする。
【００１４】
また、前記端子着脱装置において、形成された一の前記差込口は、複数の端子を差込可能であることを特徴とする。
【００１５】
本願記載の端子着脱装置は、導電板の内側に形成された差込口から端子を差し込み、配線部材を外側へ引くとこにより、係止部にて端子を係止することができる。
【発明の効果】
【００１６】
本発明に係る端子着脱装置は、導電板と、導電板の端部側から内側へ向けて先端が延びる係止部材とを備え、係止部材の先端に差込口が形成され、外側へ引き出される配線部材に取り付けられた端子を係止可能な係止部を有している。これにより、配線部材を外側に引くことで、端子が係止部に係止される。従って、本発明に係る端子着脱装置は、端子の取付等の作業に関する作業性が高い等、優れた効果を奏する。
【図面の簡単な説明】
【００１７】
【図１】本願記載の端子着脱装置の外観の一例を示す概略斜視図である。
【図２】本願記載の端子着脱装置の外観の一例を示す概略斜視図である。
【図３】本願記載の端子着脱装置の外観の一例を示す概略斜視図である。
【図４】本願記載の端子着脱装置が備える導電板及び係止部材の一例を示す概略断面図である。
【図５】本願記載の端子着脱装置に対して使用可能な端子の一例を示す外観斜視図である。
【図６】本願記載の端子着脱装置の外観の一例を示す概略斜視図である。
【図７】本願記載の端子着脱装置の外観の一例を示す概略斜視図である。
【図８】本願記載の端子着脱装置の外観の一例を示す概略斜視図である。
【図９】本願記載の端子着脱装置の外観の一例を示す概略斜視図である。
【図１０】本願記載の端子着脱装置の導電板及び係止部材の一例を示す概略正面図である。
【図１１】本願記載の端子着脱装置の導電板及び係止部材の一例を示す概略正面図である。
【図１２】本願記載の端子着脱装置の外観の一例を示す概略斜視図である。
【図１３】本願記載の端子着脱装置の外観の一例を示す概略斜視図である。
【図１４】本願記載の端子着脱装置の導電板及び係止部材の一例を示す概略斜視図である。
【図１５】本願記載の端子着脱装置の導電板及び係止部材の一例を示す概略斜視図である。
【図１６】本願記載の端子着脱装置の導電板及び係止部材の一例を示す概略正面図である。
【図１７】本願記載の端子着脱装置の外観の一例を示す概略斜視図である。
【図１８】本願記載の端子着脱装置の外観の一例を示す概略平面図である。
【発明を実施するための形態】
【００１８】
以下、本発明の実施形態について図面を参照しながら説明する。
【００１９】
＜適用例＞
本願記載の端子着脱装置は、例えば、配電盤、工作機械、ＰＶ機器等の電装設備において、電力線、信号線等の各種配線部材の末端に設けられた丸端子等の端子を着脱可能な端子台等の様々な用途に用いることが可能である。
【００２０】
＜第１実施形態＞
図１及び図２は、本願記載の端子着脱装置１の外観の一例を示す概略斜視図である。図１及び図２は、本願記載の端子着脱装置１の外観を前方斜め上からの視点で示している。図１は、端子２が左右にそれぞれ２本挿入され、挿入された端子２には挿通部材１３が挿通された状態を示しており、図２は、端子２が挿入されていない状態を示している。なお、以降の説明において、端子着脱装置１の方向については、図１及び図２に向かって、左手前側を左、右手前側を前（正面）、上側を上として表現するが、説明の便宜上の方向であり、端子着脱装置１の使用の際の方向を限定するものではない。
【００２１】
本願記載の端子着脱装置１は、端子２間を電気的に接続するバスバー等の導電板１０及び端子２を係止する係止部材１１を備え、導電板１０及び係止部材１１は、固定部材１２に固定されている。固定部材１２は、略直方体状をなす固定台１２０と、固定台１２０の前部及び後部に立設された直方体状の固定壁１２１とを備え、全体として略直方体状をなしている。導電板１０は、前方の固定壁１２１及び後方の固定壁１２１の間に嵌め込まれ、前後の固定壁１２１に挟まれるようにして固定部材１２に固定されている。
【００２２】
図３は、本願記載の端子着脱装置１の外観の一例を示す概略斜視図であり、図４は、本願記載の端子着脱装置１が備える導電板１０及び係止部材１１を示す概略断面図である。図３は、端子着脱装置１の固定部材１２を透過して導電板１０及び係止部材１１を示している。図４は、導電板１０及び係止部材１１を図３のＡ−Ｂ面で切断し、正面方向からの視点で示している。導電板１０は、導電性金属等の導電性材料にて形成された略長方形の板状をなしている。導電板１０のそれぞれの長辺の略中央部には、固定部材１２に固定するための固定片１００が外側に向けて張り出している。それぞれの固定片１００は、固定部材１２の前後の固定壁１２１にそれぞれ刻設された嵌着溝１２１ａに、それぞれ嵌め込まれており、両方の固定片１００が嵌着溝１２１ａに嵌着することにより、導電板１０は固定部材１２に固定されている。導電板１０のそれぞれの短辺側の端部の近傍には、挿通部材１３を挿通可能な略円形状をなす挿通孔１０１が開設されている。また、固定部材１２の略中央には、略円形状をなす中央孔１０２が開設されている。
【００２３】
導電板１０のそれぞれの短辺となる対向する２つの端部の近傍には、それぞれ係止部材１１が取り付けられている。係止部材１１は、外力に対して弾性により反発する金属、樹脂等の材料にて形成された略Ｈ形状の板状体を、略二等辺三角形状に折り曲げて形成されている。略Ｈ形状をなす板状体は、Ｈの縦棒に相当し、中央近傍から延びる長尺状の延伸片１１０を、Ｈの横棒に相当する連結部１１１で結合した形状をなしている。板状体は、長手方向と略直交する方向に延びる２カ所の折り目で屈曲し、略二等辺三角形状となるように成形されて、係止部材１１として成型されている。図４に示す正面方向からの視点で、係止部材１１は、二等辺三角形の底辺に相当する連結部１１１を含む中央部近辺の部位が、導電板１０の短辺である端部の外側に、導電板１０と直交するように配置されている。二等辺三角形の等辺に相当する係止部材１１の延伸片１１０は、導電板１０の上面及び下面に向かって屈曲し、導電板１０を上下から挟むように配置されている。即ち、係止部材１１は、延伸片１１０が導電板１０の端部側から内側へ向けて先端が延びるように形成されている。導電板１０と、係止部材１１の延伸片１１０の先端部分とにより、端子２を差し込むことが可能な差込口１４が形成されている。なお、導電板１０の上面側の延伸片１１０の先端部分は、上方へ向けて若干折り返されており、下面側の延伸片１１０の先端部分は、下方へ向けて若干折り返されている。即ち、ここでいう係止部材１１の先端とは、部材としての先端の部位に限らず、折り返し等の加工がなされている場合には、導電板１０の端部から遠い部分及びその近傍を示している。延伸片１１０の先端部分を折り返すことにより、差込口１４からの端子２の差し込みが容易になる。また、延伸片１１０のうち、先端側は、固定されていない自由端であるため、導電板１０又は差し込まれた端子２を押圧する押圧部１１０ａとして機能する。延伸片１１０のうち、連結部１１１近傍に位置し、二等辺三角形の底辺に相当する部位は、端子２を係止する係止部１１０ｂとして機能する。
【００２４】
次に、本願記載の端子着脱装置１に対して使用される端子２について説明する。図５は、本願記載の端子着脱装置１に対して使用可能な端子２の一例を示す外観斜視図である。図５（ａ）は、丸端子であり、図５（ｂ）は、Ｙ型端子である。図５に示すように端子着脱装置１に着脱可能な端子２は、電力線、信号線等の線材を用いた配線部材３の先端に、例えば、かしめられた状態で取り付けられている。端子２は、図５（ａ）に例示する閉じられた環状孔２０を有する丸端子、図５（ｂ）に例示する一部が開かれた環状孔２０を有するＹ型端子等の端子２が用いられる。なお、環状孔２０は、必ずしも円形状である必要は無く、多角形状であってもよい。また、一部が開かれている場合、必ずしも先端側が開かれている必要は無く、先端以外の部分が開かれていてもよい。なお、端子２の幅、即ち、図５に示す端子２の場合、配線部材３の取付方向と略直交する方向の長さは、着脱する端子着脱装置１が備える係止部材１１の延伸片１１０における両方の係止部１１０ｂ間の間隔より長く、前後の固定壁１２１間の間隔より短いものが用いられる。また、配線部材３の幅は、両方の係止部１１０ｂ間の間隔より短いものが用いられる。端子２部分は、金属等の導電体で形成されており、配線部材３部分は、一又は複数本の金属線等の導電体を一重又は多重に絶縁体で被覆して形成されている。
【００２５】
＜使用方法＞
次に、本願記載の端子着脱装置１の使用方法について説明する。図６乃至図９は、本願記載の端子着脱装置１の外観の一例を示す概略斜視図である。図６乃至図９は、端子着脱装置１の固定部材１２を透過して導電板１０及び係止部材１１を示している。図６は、端子２を取り付ける前の端子着脱装置１を示している。図７は、図６に示す状態から端子２を配置した状態を示している。使用者は、端子２を、端子着脱装置１の上方から、前後の固定壁１２１の間を通って、導電板１０の上面側に当接する程度の位置に配置する。端子２が配置される位置は、導電板１０の端部より内側となる中央近傍であり、係止部材１１が取り付けられていない位置となる。また、配線部材３は、導電板１０の長手方向に沿って、前後の固定壁１２１に挟まれた２つの延伸片１１０の間を通り、導電板１０の端部の外側へ延びるように配置される。
【００２６】
図８は、図７に示す状態から、係止部材１１に端子２を係止させた状態を示している。導電板１０の中央近傍に上方から載置した状態の端子２に対し、使用者は、配線部材３を導電板１０の長手方向に沿って端部の外側へ引くことにより、端子２が係止部材１１に係止される。配線部材３を引く方向は、図７中の白抜き矢印で示す方向であり、配線部材３を引くことにより、端子２が、係止部材１１の延伸片１１０の先端部分及び導電板１０にて形成された差込口１４から差し込まれる。端子２が差込口１４に差し込まれた状態から、更に配線部材３を外側へ引くことにより、端子２が係止部材１１の延伸片１１０の係止部１１０ｂに当接し、端子２は、当接した状態で係止部材１１により係止される。端子２の上面側に延びる２本の延伸片１１０により形成される間隙の幅（長さ）は、配線部材３の幅より長く、端子２の幅より短いため、配線部材３を引き出すことは可能であるが、端子２は引き出すことはできない。従って、間隙を形成する両側の延伸片１１０の係止部１１０ｂにより、端子２は、導電板１０の端部近傍の位置で係止される。端子着脱装置１に係止された状態において、端子２の環状孔２０の位置は、導電板１０の挿通孔１０１の位置と略一致する。
【００２７】
図９は、図８に示す状態から、挿通部材１３が挿通された状態を示している。端子着脱装置１に係止された端子２に対し、使用者が、挿通ピン等の挿通部材１３を挿通することにより、端子２は、端子着脱装置１に固定される。挿通部材１３は、端子２の環状孔２０を通って、導電板１０の挿通孔１０１に挿通される。挿通部材１３を端子２の環状孔２０及び導電板１０の挿通孔１０１に挿通することにより、端子２は、端子着脱装置１に固定される。
【００２８】
以上のようにして、端子２は、端子着脱装置１に取り付けられる。なお、端子着脱装置１に取り付けられた端子２を外す場合、使用者は、挿通部材１３を外し、端子２及び配線部材３を、導電板１０の内側方向へ押し込むことにより、端子２の係止が解除される。そして、使用者は、係止が解除された端子２を上方へ上げることにより、端子２は端子着脱装置１から外れる。
【００２９】
係止部材１１は、導電部材の両端に配設されているので、両端に端子２を取り付けることができ、取り付けられた端子２は、導電部材により電気的に接続される。
【００３０】
＜使用例＞
図１０は、本願記載の端子着脱装置１の導電板１０及び係止部材１１の一例を示す概略正面図である。図１０は、導電板１０の上面側に、２本の端子２を取り付けた使用例を示している。図１０に示すように、本願記載の端子着脱装置１は、導電板１０の一方の面の一方の端部に、複数の端子２を取り付けることが可能であり、これにより、様々な配線を実現することが可能である。
【００３１】
図１１は、本願記載の端子着脱装置１の導電板１０及び係止部材１１の一例を示す概略正面図である。図１１は、導電板１０の上面側及び下面側に、それぞれ端子２を取り付けた使用例を示している。図１１に示すように、係止部材１１は、上下それぞれに延伸片１１０を有しているため、導電板１０の上面側だけでなく、下面側に端子２を取り付けることも可能である。図１１に示すように、本願記載の端子着脱装置１は、導電板１０の両面にそれぞれ端子２を取り付けることが可能であるので、様々な配線を実現することが可能である。
【００３２】
＜第２実施形態＞
第２実施形態は、第１実施形態において、導電板１０及び係止部材１１を固定部材１２から取り外し可能に形成した形態である。以降の説明において、第１実施形態と同様の構成については、第１実施形態を参照するものとし、詳細な説明を省略する。
【００３３】
図１２及び図１３は、本願記載の端子着脱装置１の外観の一例を示す概略斜視図である。なお、図１３は、端子着脱装置１の固定部材１２を透過して導電板１０及び係止部材１１を示している。第２実施形態における固定部材１２は、固定壁１２１の内壁面に導電板１０の固定片１００を嵌合させる嵌合凹部１２１ｂが形成されており、前後の固定壁１２１の嵌合凹部１２１ｂに固定片１００を嵌合させることにより導電板１０が固定される。導電板１０は、固定部材１２に取り外し可能に固定されているため、導電板１０を上方へずらすことにより、固定部材１２から外すことが可能である。なお、導電板１０を固定部材１２に取り外し可能に構成する形態は、適宜設計することが可能であり、例えば、螺子止め等の方法により、固定部材１２に取り外し可能に構成することも可能である。
【００３４】
図１４は、本願記載の端子着脱装置１の導電板１０及び係止部材１１の一例を示す概略斜視図である。固定部材１２から導電板１０及び係止部材１１を取り外し可能に構成することにより、図１２及び図１３に例示したように、導電板１０の上下に端子２を取り付ける際の作業性が向上する。図１４は、導電板１０の上面に端子２を取り付けた後、導電板１０及び係止部材１１を固定部材１２から取り外し、下面側が上を向くように裏返した状態を示している。導電板１０及び係止部材１１を取り外して裏返すことにより、下面側への端子２の取付作業が容易になる。このようにして上下両面に端子２を取り付けた導電板１０及び係止部材１１を固定部材１２に再度取り付けることにより、導電板１０の上下両面への端子２の取付が完了する。なお、取り外した導電板１０を固定部材１２に取り付ける際、上下を逆にして取り付けることも可能である。
【００３５】
以上のように導電板１０及び係止部材１１を固定部材１２から取り外し可能に構成した端子着脱装置１は、固定部材１２が配電盤等の他の装置に既に取り付けられている場合で、配線の接続を変更するとき等の状況下において特に有効である。
【００３６】
＜第３実施形態＞
第３実施形態は、第２実施形態において、挿通部材１３の代わりに、導電板１０を固定部材１２に固定する機能も備えた取付部材１５を用いた形態を示している。なお、第３実施形態において、第１実施形態及び第２実施形態と同様の構成については、第１実施形態及び第２実施形態を参照するものとし、詳細な説明を省略する。
【００３７】
図１５は、本願記載の端子着脱装置１の導電板１０及び係止部材１１の一例を示す概略斜視図であり、図１６は、本願記載の端子着脱装置１の導電板１０及び係止部材１１の一例を示す概略正面図である。第３実施形態に係る取付部材１５は、導電板１０の中央孔１０２に挿通する固定軸部１５０と、固定軸部１５０から左右に延びる腕部１５１とを備え、腕部１５１の先端部分から挿通軸部１５２が上方へ向けて延びている。固定軸部１５０は、腕部１５１より下方に圧縮コイルバネ１５０ａを備えており、腕部１５１より上方に圧縮コイルバネ１５０ａを圧縮状態で固定する留め具１５０ｂを備えている。
【００３８】
第３実施形態では、導電板１０及び係止部材１１を固定部材１２から取り外して、端子２を取り付けた後、下方から取付部材１５の挿通軸部１５２を挿通孔１０１に通し、上方から留め具１５０ｂを導電板１０の中央孔１０２に挿通する。そして、端子２を取り付け、取付部材１５を挿通した導電板１０及び係止部材１１を固定部材１２の上方から差し込み、圧縮コイルバネ１５０ａが圧縮されるようにして、取付部材１５を固定部材１２に開設された孔（図示せず）に押し込むことにより、取付部材１５は導電板１０を挿通して固定部材１２に固定される。なお、導電板１０を取り外す場合、留め具１５０ｂを操作して圧縮コイルバネ１５０ａの固定状態を解除することにより、圧縮コイルバネ１５０ａによる付勢力で導電板１０が取り外しやすくなる。
【００３９】
＜第４実施形態＞
第４実施形態は、第２実施形態において、挿通部材１３として締結部材１３３を用いた形態である。なお、第４実施形態において、第１実施形態及び第２実施形態と同様の構成については、第１実施形態及び第２実施形態を参照するものとし、詳細な説明を省略する。
【００４０】
図１７は、本願記載の端子着脱装置１の外観の一例を示す概略斜視図である。なお、図１７は、端子着脱装置１の固定部材１２を透過して導電板１０及び係止部材１１、並びに挿通部材１３を示している。第４実施形態における挿通部材１３は、ボルト及びナットを用いた締結部材１３３により構成されている。固定部材１２には、締結部材１３３を嵌め込むための孔（図示せず）が開設されており、締結部材１３３により螺子締めされた導電板１０及び係止部材１１は、固定部材１２に固定される。締結部材１３３による固定は、例えば、仮留めで動作チェックを行った後、設備への最終設置の際に実施される。
【００４１】
＜第５実施形態＞
第５実施形態は、第１実施形態において、導電板１０及び係止部材１１の組み合わせを複数組備えた形態である。なお、第５実施形態において、第１実施形態と同様の構成については、第１実施形態を参照するものとし、詳細な説明を省略する。
【００４２】
図１８は、本願記載の端子着脱装置１の外観の一例を示す概略平面図である。第５実施形態は、３組の導電板１０及び係止部材１１を前後方向に連設した構成である。導電板１０及び係止部材１１を連接することにより、隣接する他の組との間とも配線することが可能になるので、様々な配線を実現することが可能となる。
【００４３】
以上、第１実施形態乃至第５実施形態として示したように、本願記載の端子着脱装置１は、導電板１０と、導電板１０の端部側から内側へ延びる係止部材１１の延伸片１１０との間に差込口１４が形成される。そして、差込口１４から端子２を差し込み、配線部材３を引くことにより、端子２が係止されるので、端子２を接続する際の作業性を向上させることが可能である等、優れた効果を奏する。また、例えば、螺子止めにより端子２を固定する従来の端子台と比べ、経時的に螺子が緩まることに起因する螺子の増し締め等の作業が不要である。
【００４４】
しかも、本願記載の端子着脱装置１は、導電板１０と簡単な構成の係止部材１１とを用いて構成されるため、部品点数の削減及び部品の簡略化が見込めるので、材料コスト、組立コスト、管理コスト等の様々な製造コストを削減することが可能である。また、このように比較的簡単な構成であるため、小型化が容易である等、優れた効果を奏する。
【００４５】
本発明は、以上説明したそれぞれの実施形態に限定されるものではなく、他の様々な形態で実施することが可能である。そのため、上述した実施形態はあらゆる点で単なる例示に過ぎず、限定的に解釈してはならない。本発明の技術範囲は、請求の範囲によって説明するものであって、明細書本文には何ら拘束されない。更に、請求の範囲の均等範囲に属する変形及び変更は、全て本発明の範囲内のものである。
【００４６】
例えば、第１実施形態乃至第５実施形態は、それぞれ独立した形態ではなく、適宜組み合わせることが可能である。
【００４７】
また、前記実施形態では、略直方体状をなす導電板１０の対向する短辺に係止部材１１を配置する形態を示したが、本発明はこれに限らず、導電板１０をＬ字状、十字状等の長方形状以外の形状に形成しても良く、導電板１０の長辺に係止部材１１を配置する等、様々な形態に展開することが可能である。
【符号の説明】
【００４８】
１        端子着脱装置
１０      導電板
１１      係止部材
１１０    延伸片
１１０ａ  押圧部
１１０ｂ  係止部
１２      固定部材
１３      挿通部材
１４      差込口
１５      取付部材
２        端子
２０      環状孔
３        配線部材
【図１】
2020017464.tif 000003
【図２】
2020017464.tif 000004
【図３】
2020017464.tif 000005
【図４】
2020017464.tif 000006
【図５】
2020017464.tif 000007
【図６】
2020017464.tif 000008
【図７】
2020017464.tif 000009
【図８】
2020017464.tif 000010
【図９】
2020017464.tif 000011
【図１０】
2020017464.tif 000012
【図１１】
2020017464.tif 000013
【図１２】
2020017464.tif 000014
【図１３】
2020017464.tif 000015
【図１４】
2020017464.tif 000016
【図１５】
2020017464.tif 000017
【図１６】
2020017464.tif 000018
【図１７】
2020017464.tif 000019
【図１８】
2020017464.tif 000020